【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
下端および上端を有する細長い可変長ポールであって、前記ポールは長さを前記下端と前記上端との間で調整でき、長手方向の軸を有するポールと、
上端に近い位置で前記ポールの内側に固定されたアンカーと、
前記ポールの上端から延びて、前記ポール内側の前記アンカー位置に対して前記ポールの長手方向に沿って移動する取付けヘッドであって、前記ポールの内部に延びる部分を有するネックと、シート状の材料を取外し可能なように固定する取付けユニットと、を含む取付けヘッドと、
前記取付けヘッドの位置を、前記アンカーから遠ざかる外側方向へ押し出す圧迫機構と、を含み、
前記圧迫機構、前記ネックの前記部分、および前記アンカーは、前記ポールの内部に位置することを特徴とする間仕切り取付け台。
【請求項２】
前記取付けヘッドの移動距離を制御することにより、前記取付けヘッドが前記ポールから外れるのを防ぐリテナーを更に含む、請求項１に記載の間仕切り取付け台。
【請求項３】
前記リテナーが細長いワイヤを含む、請求項２に記載の間仕切り取付け台。
【請求項４】
前記アンカーおよびリテナーは、前記圧迫機構が第１の圧迫を受ける第１の位置と、前記取付けヘッドの少なくとも一部が前記ポール内にあって前記圧迫機構が前記第１の圧迫より弱い圧迫を受ける第２の位置との間を前記取付けヘッドが移動するのを許容する、請求項２に記載の間仕切り取付け台。
【請求項５】
前記ポールが、複数の入れ子部材を有する伸縮ポールを含み、且つ前記ポールの上端が前記伸縮ポールの内側部材にある、請求項１に記載の間仕切り取付け台。
【請求項６】
前記伸縮ポールが更に、隣接するポール部材の位置を相互に固定させるロック機構を含む、請求項５に記載の間仕切り取付け台。
【請求項７】
前記ポールの内側部材が前記ポールの他の部材に対するスライド動作を阻害しないよう、前記アンカーが前記ポールの内側部材に固定されている、請求項５に記載の間仕切り取付け台。
【請求項８】
前記取付けユニットが、間にシート状の材料を固定する第１および第２部分を含む、請求項１に記載の間仕切り取付け台。
【請求項９】
前記取付けヘッドの第１および第２部分が、前記ポールの長手方向に直交する方向へ延びている、請求項８に記載の間仕切り取付け台。
【請求項１０】
前記第１部分が少なくとも１個のピンを含んでいて、前記第２部分が前記少なくとも１個のピンを受け入れる少なくとも１個の開口部を含む、請求項８に記載の間仕切り取付け台。
【請求項１１】
前記少なくとも１個のピンと前記少なくとも１個の開口部がスナップ留め関係に係合して、前記第１および第２部分を一緒に固定する、請求項１０に記載の間仕切り取付け台。
【請求項１２】
前記少なくとも１個の開口部が爪穴およびスロットを含んでいて、前記係合する少なくとも１個のピンが保持用ノブを含んでおり、各ピンを係合する爪穴に挿入して、前記爪穴から前記スロット内へ前記ピンをスライドさせ、前記ピンが前記保持用ノブにより前記開口部内で保持されることにより前記第１および第２部分が固定される、請求項１０に記載の間仕切り取付け台。
【請求項１３】
前記第１部分がヘッドを含んでいて、前記第２部分が取外し可能なようにヘッドに連結されたクリップを含む、請求項８に記載の間仕切り取付け台。
【請求項１４】
前記第１部分が、前記第２部分の少なくとも１個の側面の周辺まで延びる複数のレッグを含む、請求項８に記載の間仕切り取付け台。
【請求項１５】
前記レッグが更に、前記第２部分の第２表面の周辺まで延び、前記第２表面は、第２部分が第１部分および挿入されたシート状の材料に接触する第２部分の第１表面の反対側にある、請求項１４に記載の間仕切り取付け台。
【請求項１６】
前記第１部分がヘッドを含んでいて、前記第２部分はヘッドと取外し可能なように連結されたクリップを含む、請求項１５に記載の間仕切り取付け台。
【請求項１７】
前記第１および第２部分を連結するテザーを更に含む、請求項８に記載の間仕切り取付け台。
【請求項１８】
前記テザーが、前記第１および第２部分のうち少なくとも１個から取外し可能である、請求項１７に記載の間仕切り取付け台。
【請求項１９】
前記テザーが細長いストラップを含んでいて、前記テザーの少なくとも一端が爪を含んでいて、前記第１および第２部分のうち対応する１個がテザー爪を取外し可能なように受け入れるスロットを含む、請求項１７に記載の間仕切り取付け台。
【請求項２０】
前記第２部分の上面に適用された高摩擦材料を更に含む、請求項８に記載の間仕切り取付け台。
【請求項２１】
前記第１部分と前記第２部分が接触する位置で、前記取付けユニットの第１部分および第２部分のうち少なくとも１個に高摩擦材料が適用されている、請求項８に記載の間仕切り取付け台。
【請求項２２】
前記圧迫機構がバネを含む、請求項１に記載の間仕切り取付け台。
【請求項２３】
前記取付けヘッドがネックおよび取付けユニットを含んでいて、前記取付けユニットが前記ポールに対してピボット動作できるように前記ネックと前記取付けユニットの間にピボット・ジョイントを更に含む、請求項１に記載の間仕切り取付け台。
【請求項２４】
前記アンカーが、前記アンカー内へ前記ポールボディを押し込むことにより前記ポールの内側に固定されている、請求項１に記載の間仕切り取付け台。
【請求項２５】
前記圧迫機構により押し出されている前記取付けヘッドを急激に取外すことで前記アンカーに加わる力を弱めるための緩衝材を更に含む、請求項１に記載の間仕切り取付け台。
【請求項２６】
複数の入れ子部材を含む細長い可変長伸縮ポールであって、前記ポールは下端と上端を有し、前記ポールは長さを前記下端と前記上端との間で調整でき、前記ポールの上端が前記ポールの内側部材にあって、長手方向の軸を有する前記ポールと、
前記ポールの内側で上端に近接する位置に固定されているアンカーと、
前記ポールの上端から延びている取付けヘッドであって、前記ポール内の前記アンカーの位置に対して前記ポールの長手方向に沿って移動し、前記取付けヘッドが、前記ポールの上端の内部まで延びるネック、およびシート状の材料を取外し可能なように固定する取付けユニットを含んでいて、前記ネックと取付けユニットが、前記ポールに対して前記取付けユニットがピボット動作可能なようにするピボット・ジョイントにより連結されている取付けヘッドと、
前記ヘッドの位置を前記アンカーから遠ざかる外側方向へ圧迫するバネを含む圧迫機構と、
前記取付けヘッドの移動距離を制御することにより前記取付けヘッドが前記ポールの上端から外れるのを防ぐリテナーであって、剛性を有するリテナーと、
を含み、
前記圧迫機構、前記ネックの一部分、前記アンカー、および前記リテナーは、前記ポールの内部に位置することを特徴とする間仕切り取付け台。
【請求項２７】
前記リテナーが細長いワイヤを含む、請求項２６に記載の間仕切り取付け台。
【請求項２８】
前記アンカーおよびリテナーは、前記圧迫機構が第１の圧迫を受ける第１の位置と、前記取付けヘッドの少なくとも一部が前記ポール内にあって前記圧迫機構が前記第１の圧迫より弱い圧迫を受ける第２の位置との間を前記取付けヘッドが移動するのを許容する、請求項２６に記載の間仕切り取付け台。
【請求項２９】
前記伸縮ポールが更に、隣接するポール部材の位置を相互に固定させるロック機構を含む、請求項２６に記載の間仕切り取付け台。
【請求項３０】
前記ポールの内側部材が前記ポールの他の部材に対するスライド動作を阻害しないよう、前記アンカーが前記ポールの内側部材に固定されている、請求項２６に記載の間仕切り取付け台。
【請求項３１】
前記取付けユニットが、間にシート状の材料を固定する第１および第２部分を含む、請求項２６に記載の間仕切り取付け台。
【請求項３２】
前記取付けヘッドの第１および第２部分が、前記ポールの長手方向に直交する方向へ延びている、請求項３１に記載の間仕切り取付け台。
【請求項３３】
前記第１部分が少なくとも１個のピンを含んでいて、前記第２部分が前記少なくとも１個のピンを受け入れる少なくとも１個の開口部を含む、請求項３１に記載の間仕切り取付け台。
【請求項３４】
前記少なくとも１個のピンと前記少なくとも１個の開口部がスナップ留め関係に係合して、前記第１および第２部分を一緒に固定する、請求項３３に記載の間仕切り取付け台。
【請求項３５】
前記少なくとも１個の開口部が爪穴およびスロットを含んでいて、前記係合する少なくとも１個のピンが保持用ノブを含んでおり、各ピンを係合する爪穴に挿入して、前記爪穴から前記スロット内へ前記ピンをスライドさせ、前記ピンが前記保持用ノブにより前記開口部内で保持されることにより前記第１および第２部分が固定される、請求項３３に記載の間仕切り取付け台。
【請求項３６】
前記第１部分がヘッドを含んでいて、前記第２部分が取外し可能なようにヘッドに連結されたクリップを含む、請求項３１に記載の間仕切り取付け台。
【請求項３７】
前記第１部分が、前記第２部分の少なくとも１個の側面の周辺まで延びる複数のレッグを含む、請求項３１に記載の間仕切り取付け台。
【請求項３８】
前記レッグが更に、前記第２部分の第２表面の周辺まで延び、前記第２表面は、第２部分が第１部分および挿入されたシート状の材料に接触する第２部分の第１表面の反対側にある、請求項３７に記載の間仕切り取付け台。
【請求項３９】
前記第１部分がヘッドを含んでいて、前記第２部分はヘッドと取外し可能なように連結されたクリップを含む、請求項３８に記載の間仕切り取付け台。
【請求項４０】
前記第１および第２部分を連結するテザーを更に含む、請求項３１に記載の間仕切り取付け台。
【請求項４１】
前記テザーが、前記第１および第２部分のうち少なくとも１個から取外し可能である、請求項４０に記載の間仕切り取付け台。
【請求項４２】
前記テザーが細長いストラップを含んでいて、前記テザーの少なくとも一端が爪を含んでいて、前記第１および第２部分のうち対応する１個がテザー爪を取外し可能なように受け入れるスロットを含む、請求項４０に記載の間仕切り取付け台。
【請求項４３】
前記第２部分の上面に適用された高摩擦材料を更に含む、請求項３１に記載の間仕切り取付け台。
【請求項４４】
前記第１部分と前記第２部分が接触する位置で、前記取付けユニットの第１部分および第２部分のうち少なくとも１個に高摩擦材料が適用されている、請求項３１に記載の間仕切り取付け台。
【請求項４５】
前記アンカーが、前記アンカー内へ前記ポールボディを押し込むことにより前記ポールの内側に固定されている、請求項２６に記載の間仕切り取付け台。
【請求項４６】
前記圧迫機構により押し出されている前記取付けヘッドを急激に取外すことで前記アンカーに加わる力を弱めるための緩衝材を更に含む、請求項２６に記載の間仕切り取付け台。
【請求項４７】
下端および上端を有する細長い可変長ポールであって、前記ポールは長さを前記下端と前記上端との間で調整でき、長手方向の軸を有するポールと、
前記ポールの上端から延び、前記ポールの長手方向に沿って移動する取付けヘッドであって、前記ポールの内部に延びる部分を有するネックと、間にシート状の材料を取外し可能なように固定する第１の部分および第２の部分を含む取付けユニットと、を含む取付けヘッドと、
前記ヘッドの位置を、前記アンカーから外側方向へ押し出す圧迫機構と、
前記第１および第２部分を連結するテザーであって、前記テザーの第１端と第２端のうち少なくとも１個が、前記第１および第２部分の対応する１個に取外し可能なように固定されているテザーと、
を含み、
前記圧迫機構および前記ネックの前記部分は、前記ポールの内部に位置することを特徴とする間仕切り取付け台。
【請求項４８】
前記取付けヘッドが前記ポールの上端から延びる、請求項４７に記載の間仕切り取付け台。
【請求項４９】
前記ポールの内側で上端に近い位置に固定されたアンカーを更に含み、前記圧迫機構が前記ヘッドの位置を前記アンカーから遠ざかる外側方向へ押し出す、請求項４７に記載の取付け台。
【請求項５０】
前記テザーが細長いストラップを含んでいて、前記テザーの少なくとも一端が爪を含んでいて、前記第１および第２部分のうち対応する１個がテザー爪を取外し可能なように受け入れるスロットを含む、請求項４７に記載の間仕切り取付け台。
【請求項５１】
前記第１部分がクリップを含み、前記第２部分がヘッドを含み、前記クリップは取外し可能なように前記ヘッドに連結された、請求項８に記載の間仕切り取付け台。
【請求項５２】
前記第１部分がクリップを含み、前記第２部分がヘッドを含み、前記クリップは取外し可能なように前記ヘッドに連結された、請求項１５に記載の間仕切り取付け台。
【請求項５３】
前記第１部分がクリップを含み、前記第２部分がヘッドを含み、前記クリップは取外し可能なように前記ヘッドに連結された、請求項３１に記載の間仕切り取付け台。
【請求項５４】
前記第１部分がクリップを含み、前記第２部分がヘッドを含み、前記クリップは取外し可能なように前記ヘッドに連結された、請求項３８に記載の間仕切り取付け台。